(57)【要約】【課題】フィードバック信号方式のための方法および装置を提供する。【解決手段】ＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  ＣＨａｎｎｅｌ：高速個別物理制御チャンネル）を使用するフィードバック信号方式の方法および装置は、第１のセルに対して、その第１のセルに関連付けられたＣＱＩ（Ｃｈａｎｎｅｌ  Ｑｕａｌｉｔｙ  Ｉｎｆｏｒｍａｔｉｏｎ：チャンネル品質情報）を含む第１のアップリンク・フィードバック信号を送信するステップを含む。第２のセルに関連付けられたＣＱＩ情報を含む第２のアップリンク・フィードバック信号はその第２のセルに送信される。【選択図】図３
2014207696.tif 000002
【特許請求の範囲】
【請求項１】
無線送信／受信ユニット（ＷＴＲＵ）であって、
前記ＷＴＲＵが複数のサービングセルで構成されるときに、
第１のサービングセルに関連付けられたハイブリッド自動再送要求（ＨＡＲＱ）情報、第２のサービングセルに関連付けられたＨＡＲＱ情報、前記第１のサービングセルに関連付けられたチャネル品質インジケータ（ＣＱＩ）情報、および、前記第２のサービングセルに関連付けられたＣＱＩ情報を判定し、ならびに、
前記第１のサービングセルに関連付けられた前記ＨＡＲＱ情報、前記第２のサービングセルに関連付けられた前記ＨＡＲＱ情報、前記第１のサービングセルに関連付けられた前記ＣＱＩ情報、および、前記第２のサービングセルに関連付けられた前記ＣＱＩ情報を、同一のサブフレームで送信する
ように構成されているプロセッサを備えていることを特徴とするＷＴＲＵ。
【請求項２】
前記ＨＡＲＱ情報および前記ＣＱＩ情報は、高速個別物理制御チャネル（ＨＳ−ＤＰＣＣＨ）を使用して送信されることを特徴とする請求項１に記載のＷＴＲＵ。
【請求項３】
前記複数のサービングセルは、複数のサービング個別高速ダウンリンク共有チャネル（ＨＳ−ＤＳＣＨ）セルを備えていることを特徴とする請求項１に記載のＷＴＲＵ。
【請求項４】
前記プロセッサは、前記第１のサービングセルに関連付けられた前記ＨＡＲＱ情報と、前記第２のサービングセルに関連付けられた前記ＨＡＲＱ情報とを連結させるように構成されていることを特徴とする請求項１に記載のＷＴＲＵ。
【請求項５】
前記プロセッサは、前記第１のサービングセルに関連付けられた前記ＣＱＩ情報と、前記第２のサービングセルに関連付けられた前記ＣＱＩ情報とを連結させるように構成されていることを特徴とする請求項１に記載のＷＴＲＵ。
【請求項６】
前記第１のサービングセルは、プライマリＨＳ−ＤＳＣＨサービングセルであり、および、前記第２のサービングセルは、セカンダリＨＳ−ＤＳＣＨサービングセルであることを特徴とする請求項１に記載のＷＴＲＵ。
【請求項７】
前記プロセッサは、前記第１のサービングセルに関連付けられた前記ＣＱＩ情報、および、前記第２のサービングセルに関連付けられた前記ＣＱＩ情報を、２つのタイムスロットで送信するように構成されていることを特徴とする請求項１に記載のＷＴＲＵ。
【請求項８】
フィードバックを送信するための方法であって、
無線送信／受信ユニット（ＷＴＲＵ）が複数のサービングセルで構成されるときに、
第１のサービングセルに関連付けられたハイブリッド自動再送要求（ＨＡＲＱ）情報、第２のサービングセルに関連付けられたＨＡＲＱ情報、前記第１のサービングセルに関連付けられたチャネル品質インジケータ（ＣＱＩ）情報、および、前記第２のサービングセルに関連付けられたＣＱＩ情報を判定するステップと、
前記第１のサービングセルに関連付けられた前記ＨＡＲＱ情報、前記第２のサービングセルに関連付けられた前記ＨＡＲＱ情報、前記第１のサービングセルに関連付けられた前記ＣＱＩ情報、および、前記第２のサービングセルに関連付けられたＣＱＩ情報を、同一のサブフレームで送信するステップと
を備えていることを特徴とする方法。
【請求項９】
前記ＨＡＲＱ情報および前記ＣＱＩ情報は、高速個別物理制御チャネル（ＨＳ−ＤＰＣＣＨ）を使用して送信されることを特徴とする請求項８に記載の方法。
【請求項１０】
前記複数のサービングセルは、複数のサービング個別高速ダウンリンク共有チャネル（ＨＳ−ＤＳＣＨ）セルを備えていることを特徴とする請求項８に記載の方法。
【請求項１１】
前記第１のサービングセルに関連付けられた前記ＨＡＲＱ情報と、前記第２のサービングセルに関連付けられた前記ＨＡＲＱ情報とを連結させるステップをさらに備えていることを特徴とする請求項８に記載の方法。
【請求項１２】
前記第１のサービングセルに関連付けられた前記ＣＱＩ情報と、前記第２のサービングセルに関連付けられた前記ＣＱＩ情報とを連結させるステップをさらに備えていることを特徴とする請求項８に記載の方法。
【請求項１３】
前記第１のサービングセルは、プライマリＨＳ−ＤＳＣＨサービングセルであり、および、前記第２のサービングセルは、セカンダリＨＳ−ＤＳＣＨサービングセルであることを特徴とする請求項８に記載の方法。
【請求項１４】
前記第１のサービングセルに関連付けられた前記ＣＱＩ情報、および、前記第２のサービングセルに関連付けられた前記ＣＱＩ情報は、２つのタイムスロットで送信されることを特徴とする請求項８に記載の方法。
【発明の詳細な説明】
【技術分野】
【０００１】
本出願は無線通信に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ：第三世代パートナーシップ・プロジェクト）仕様のリリース５において、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ユニバーサル・モバイル・テレコミュニケーション・システム）におけるパケット・データ・ユーザーに対してダウンリンクにおいて高データ速度を提供するために、ＨＳＤＰＡ（Ｈｉｇｈ  Ｓｐｅｅｄ  Ｄｏｗｎｌｉｎｋ  Ｐａｃｋｅｔ  Ａｃｃｅｓｓ：高速ダウンリンク・パケット・アクセス）が導入された。これらの高データ速度は、ＡＭＣ（Ａｄａｐｔｉｖｅ  Ｍｏｄｕｌａｔｉｏｎ  ａｎｄ  Ｃｏｄｉｎｇ：適応型変調および符号化）、Ｈ−ＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）などの高速物理層再送信、および高速ノードＢスケジューリングなどの概念を使用してスペクトル効率を増大させることによって達成することができる。
【０００３】
ＨＳＤＰＡシステムにおいてＵＥ（Ｕｓｅｒ  Ｅｑｕｉｐｍｅｎｔ：ユーザー機器）が１つのセルから別のセルに移行する場合があるであろう。この移行はハンドオーバー（ｈａｎｄｏｖｅｒ）と称される。ハンドオーバーの間は、移動体通信を中断なく維持することが望ましい。ＨＳＤＰＡシステムにおいてＵＥは、１つのセル、すなわち「サービング（ｓｅｒｖｉｎｇ）ＨＳ−ＤＳＣＨセル」中の高速共有チャンネルを監視することができる。ハンドオーバーの間にＵＥは、新しいサービングＨＳ−ＤＳＣＨセル（例えばターゲット（ｔａｒｇｅｔ）セル／ノードＢ）へ移行する。この手順は、サービングセルＨＳ−ＤＳＣＨセル変更（ｓｅｒｖｉｎｇ  ｃｅｌｌ  ＨＳ−ＤＳＣＨ  ｃｅｌｌ  ｃｈａｎｇｅ）と呼ばれる。しかしながら、ＵＥが同時に複数のセルからダウンリンク・データを受信するという、ソフトな、またはよりソフトなハンドオーバーは、ＨＳＤＰＡでは支援されない。
【０００４】
ハンドオーバー過程を支援するためにＵＥは、サービングセルおよび隣接するセルの信号強度を連続的に監視する。隣接するセルの監視された参照チャンネル上で測定された信号強度がサービングセルの信号強度を超えると、ＵＥは、最良セルの変更のイベントが生起したことをＲＮＣ（Ｒａｄｉｏ  Ｎｅｔｗｏｒｋ  Ｃｏｎｔｒｏｌｌｅｒ：無線ネットワーク制御装置）に信号送出することができる。測定値およびセルＩＤ（ＩＤｅｎｔｉｆｉｃａｔｉｏｎ：識別子）を含む、ＲＲＣ（Ｒａｄｉｏ  Ｒｅｓｏｕｒｃｅ  Ｃｏｎｔｒｏｌ：無線リソース管理）ＭＥＡＳＵＲＥＭＥＮＴ  ＲＥＰＯＲＴ（測定レポート）イベント１Ｄを介してこれを報告することができる。
【０００５】
ＲＲＣ  ＭＥＡＳＵＲＥＭＥＮＴ  ＲＥＰＯＲＴイベント１Ｄを受信すると、ＳＲＮＣ（Ｓｅｒｖｉｎｇ  ＲＮＣ：サービングＲＮＣ）は新しいセルにハンドオーバーを実行するべきか否かを判定する。ＳＲＮＣは、ターゲットセルの中のＵＥのためにＨＳ−ＤＳＣＨリソース（例えばＨ−ＲＮＴＩ（ＨＳ−ＤＳＣＨ  Ｒａｄｉｏ  Ｎｅｔｗｏｒｋ  Ｔｅｍｐｏｒａｒｙ  Ｉｄｅｎｔｉｆｉｅｒ：ＨＳ−ＤＳＣＨ無線ネットワーク一時識別子）、ＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ：高速共有制御チャンネル）符号、ＨＡＲＱリソース、および同様のもの）を割り当てるようＣＲＮＣ（Ｃｏｎｔｒｏｌｌｉｎｇ  ＲＮＣ：制御ＲＮＣ）に要求する。ＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ：無線ネットワーク・サブシステム・アプリケーション・パート）またはＮＢＡＰ（Ｎｏｄｅ  Ｂ  Ａｐｐｌｉｃａｔｉｏｎ  Ｐａｒｔ：ノードＢアプリケーション・パート）メッセージを介してこれを実行することができる。メッセージが予約されると、ＣＲＮＣは情報をＳＲＮＣに供給し、ＳＲＮＣは、ＵＥがターゲットセルを監視し始めるために必要となる無線アクセス・パラメーターを含むＲＲＣハンドオーバー・メッセージをＵＥに送信する。ＲＲＣハンドオーバー・メッセージはまた、ハンドオーバーが行われる活性化時間（ａｃｔｉｖａｔｉｏｎ  ｔｉｍｅ）を含むことができる。
【０００６】
ＲＲＣハンドオーバー・メッセージは、高速共有チャンネル上で発信元ノードＢを介してＵＥに送られるため、ＨＳ−ＤＳＣＨサービングセル変更手順に関連付けられた遅延が、ＲＲＣハンドオーバー・メッセージ送信の障害を引き起こす場合がある。その結果、呼の通話途切れの率が増加する場合がある。この問題に対処するために、ハンドオーバーの状況が差し迫っている場合には、ＵＥがターゲットセルのより近くにいる場合があるため、ターゲットセルにおいてまたは発信元およびターゲットセルの両方においてハンドオーバー・コマンドを送信することが提案されている。しかしながら、現時点では１つより多いセルに対してフィードバック情報を一度に送る能力は無く、このことが、ＲＲＣハンドオーバー・メッセージが１つより多いセルにおいて送信される場合に、信頼性の欠如および性能不足の問題を引き起こす場合がある。さらに、フィードバックが１つのセルに限定されており、１つより多いセルからのデータを一度に受信するように設計されたＵＥは、最適に動作するとはいえない場合がある。
【発明の概要】
【発明が解決しようとする課題】
【０００７】
したがって、フィードバック信号方式のための方法および装置を提供することが有益である。
【課題を解決するための手段】
【０００８】
ＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  ＣＨａｎｎｅｌ：高速個別物理制御チャンネル）を使用するフィードバック信号方式の方法および装置が開示される。この方法は、第１のセルに対して、その第１のセルに関連付けられたＣＱＩ（Ｃｈａｎｎｅｌ  Ｑｕａｌｉｔｙ  Ｉｎｆｏｒｍａｔｉｏｎ：チャンネル品質情報）を含む第１のアップリンク・フィードバック信号を送信するステップを含む。第２のセルに関連付けられたＣＱＩ情報を含む第２のアップリンク・フィードバック信号はその第２のセルに送信される。
【図面の簡単な説明】
【０００９】
添付図面に関連して例として与えられる以下の説明から、より詳細な理解を得ることができる。
【図１】ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）および複数のノードＢ（Ｎｏｄｅ  Ｂ）を含む無線通信システムの一例を示す図である。
【図２】図１のＷＴＲＵおよびノードＢの機能的ブロック図の一例を示す図である。
【図３】ＵＬ（ＵｐＬｉｎｋ：アップリンク）フィードバックを提供する信号ダイヤグラムの一例を示す図である。
【図４】ＨＳ−ＤＰＣＣＨフレームのフレーム・フォーマットの一例を示す図である。
【発明を実施するための形態】
【００１０】
これ以後参照されると、用語「ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）」は、限定的ではなく、ＵＥ（Ｕｓｅｒ  Ｅｑｕｉｐｍｅｎｔ：ユーザー機器）、移動体端末、固定型または移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する能力のある他の如何なる種別のユーザー・デバイスをも含む。これ以後参照されると、用語「基地局（ｂａｓｅ  ｓｔａｔｉｏｎ）」は、限定的ではなく、ノードＢ（Ｎｏｄｅ−Ｂ）、サイト制御装置、ＡＰ（Ａｃｃｅｓｓ  Ｐｏｉｎｔ：アクセス・ポイント）、または無線環境において動作する能力のある他の如何なる種別のインターフェイス・デバイスをも含む。
【００１１】
図１は、ＷＴＲＵ１１０および複数のノードＢ１２０（１２０1および１２０2と表される）を含む無線通信システムの一例を示す。図１において示されるように、ＷＴＲＵ１１０は、ノードＢ１２０と通信状態にある。例としての目的のために、ＷＴＲＵ１１０はノードＢ１２０1と共にサービングセル中にあるものとすることができ、そしてノードＢ１２０2は、ノードＢ１２０1が居るセルに隣接するターゲットセル中にあるものとすることができる。従ってＷＴＲＵ１１０は、発信元ノードＢ１２０1、およびＢ１２０2とのハンドオーバーへの移行の間のハンドオーバー状態にある、または接近しつつあるということができる。その上ノードＢ１２０1は、ハンドオーバー動作の間、発信元セルにおいて動作することができる。例えばＷＴＲＵ１１０は、ターゲットセルが発信元セルより高いランキングを有するという表示を発信元セルから受信することができ、これがハンドオーバーを起動させる。
【００１２】
あるいはまたＷＴＲＵ１１０およびノードＢ１２０が、デュアル（ｄｕａｌ）またはマルチ・セルの動作において動いている場合がある。この場合にはＷＴＲＵ１１０は、ノードＢ１２０の内の何れか１つからの２つまたはそれより多い搬送波周波数上にて同時に受信できる。それに応じて、デュアルまたはマルチ・セルの動作の文脈においては、「発信元セル（ｓｏｕｒｃｅ  ｃｅｌｌ）」については以下に言及されるが、デュアルまたはマルチ・セルの動作においてアンカー・セル（ａｎｃｈｏｒ  ｃｅｌｌ）と互換的に使用することができ、そして「ターゲット（ｔａｒｇｅｔ）セル」はデュアルまたはマルチ・セルの動作においてセカンダリ・セルと呼ぶことができる。また、ＷＴＲＵ１１０およびノードＢ１２０の構成の一例が図１に表現されるが、無線通信システム１００においては無線のおよび有線のデバイスの何れの組み合わせをも含むことができることに注意するべきである。
【００１３】
図２は、図１の無線通信システム１００のＷＴＲＵ１１０およびノードＢ１２０の機能的ブロック図の一例２００である。図２に示されるように、ＷＴＲＵ１１０は、ノードＢ１２０と通信状態にある。
【００１４】
典型的なＷＴＲＵにおいて見出すことができる他の構成要素に加えて、ＷＴＲＵ１１０は処理装置１１５、受信機１１６、送信機１１７、およびアンテナ１１８を含む。受信機１１６および送信機１１７は、処理装置１１５と通信状態にある。アンテナ１１８は、受信機１１６および送信機１１７の両方と通信状態にあり、無線データの送信および受信を容易にする。ＷＴＲＵ１１０の処理装置１１５は、アップリンク・フィードバック信号方式の方法を実行するように構成設定される。
【００１５】
典型的なノードＢにおいて見出すことができる他の構成要素に加えて、ノードＢ１２０は処理装置１２５、受信機１２６、送信機１２７、およびアンテナ１２８を含む。受信機１２６および送信機１２７は、処理装置１２５と通信状態にある。アンテナ１２８は、受信機１２６および送信機１２７の両方と通信状態にあり、無線データの送信および受信を容易にする。ノードＢ１２０の処理装置１２５は、アップリンク・フィードバック信号方式の方法を実行するように構成設定される。
【００１６】
図３は、ＵＬ（ＵｐＬｉｎｋ：アップリンク）フィードバックを提供する信号ダイヤグラムの一例３００である。これ以後参照されると、ＨＳ−ＤＳＣＨサービングセル変更メッセージは、限定的ではなく、ＷＴＲＵ１１０をそのサービングセルを変更するために再構成することができる、ＲＲＣ再構成メッセージまたはＡｃｔｉｖｅ  Ｓｅｔ  Ｕｐｄａｔｅメッセージを含むことができる。また「共通リソース（ｃｏｍｍｏｎ  ｒｅｓｏｕｒｃｅ）」は、ＤＬ（ＤｏｗｎＬｉｎｋ：ダウンリンク）メッセージを受信するためにＷＴＲＵ１１０の内の１つまたはそのグループにより使用される１式のＨＳ−ＤＳＣＨリソースを含むことができる。共通リソースは、ＲＲＣ個別メッセージ方式を介してネットワークによりブロードキャストされまたは供給され、そして構成設定することができる。
【００１７】
図３で示されたＷＴＲＵ１１０およびノードＢ１２０は、図１のターゲットノードＢ１２０2と通信状態にある図１のＷＴＲＵ１１０であることができる。最初に、ＵＬフィードバックを送るためのトリガー条件が満足されるか否かが判定される（ステップ３１０）。トリガーは以下のイベントの内の何れかまたは以下のイベントの何れかの組み合わせを含むことができる：
・ＷＴＲＵ１１０が、ターゲットセルにおけるＨＳ−ＳＣＣＨ上にてその個別Ｈ−ＲＮＴＩの復号化に成功する。
・ＷＴＲＵ１１０が、ターゲットセルにおけるハンドオーバーの目的のために使用される共通Ｈ−ＲＮＴＩの復号化に成功する。
・ＷＴＲＵ１１０が、ターゲットセルにおいてＨＳ−ＳＣＣＨなしでハンドオーバー・メッセージが送られた場合にＷＴＲＵ１１０の個別Ｈ−ＲＮＴＩを使用してＨＳ−ＤＳＣＨトランスポート・ブロックのＣＲＣ（Ｃｙｃｌｉｃ  Ｒｅｄｕｎｄａｎｃｙ  Ｃｈｅｃｋ：巡回冗長検査）の復号化に成功する。
・ＷＴＲＵ１１０が、ターゲットセルにおいてＨＳ−ＳＣＣＨなしでハンドオーバー・メッセージが送られた場合にハンドオーバーの目的のために使用される共通Ｈ−ＲＮＴＩを使用してＨＳ−ＤＳＣＨトランスポート・ブロックのＣＲＣの復号化に成功する。
・ＷＴＲＵ１１０が、ターゲットセルにおいて受信されたトランスポート・ブロックのＭＡＣ（Ｍｅｄｉｕｍ  Ａｃｃｅｓｓ  Ｃｏｎｔｒｏｌ：媒体アクセス制御）ヘッダー中に、ＷＴＲＵに特有なＷＴＲＵ１１０のＵ−ＲＮＴＩ、Ｓ−ＲＮＴＩ、または何れか他の無線ネットワーク一時識別子を見出す。
【００１８】
ステップ３１０においてトリガーの条件が満足されるなら、ＷＴＲＵ１１０はアップリンク・フィードバック信号を送信する（３２０）。図３に示されるように、ＷＴＲＵ１１０はＵＬフィードバック信号３２０を、ノードＢ１２０1またはノードＢ１２０2の何れかなどの、ノードＢ１２０に送信することができる。しかしながらＵＬフィードバック信号をＷＴＲＵ１１０がノードＢ１２０に送信するとして表現されるが、ＵＬフィードバックは、ノードＢ１２０に関連付けられたプライマリ／アンカー・セルまたはセカンダリ・セルに送信することができることに注意するべきである。ＵＬフィードバック信号３２０は、ＡＣＫ（ＡＣＫｎｏｗｌｅｄｇｅｍｅｎｔ：肯定応答）信号および／またはＮＡＣＫ（Ｎｅｇａｔｉｖｅ  ＡＣＫ：否定応答）信号の形体である場合がある。
【００１９】
例えば、ステップ３１０からのトリガー条件の内の１つまたは何れかの組み合わせが生起し、そしてターゲットセルにおいて受信された関連付けられたＨＳ−ＤＳＣＨトランスポート・ブロックの復号化にＷＴＲＵ１１０が成功（例えばＣＲＣパス）したなら、ＷＴＲＵ１１０はＡＣＫ信号を送信することができる。ステップ３１０からのトリガー条件の内の１つまたは何れかの組み合わせが生起し、そしてターゲットセルにおいて受信された関連付けられたＨＳ−ＤＳＣＨトランスポート・ブロックをＷＴＲＵ１１０が復号化に失敗した（すなわちＣＲＣ障害）なら、ＷＴＲＵ１１０はＮＡＣＫ信号を送信することができる。
【００２０】
ＵＬフィードバック信号３２０を送信するために、ＷＴＲＵ１１０は多くの異なった技法を採用することができる。例えばＷＴＲＵ１１０は、ＵＬフィードバック信号３２０をターゲットセルに送信するために、現時点ではＣＱＩ（Ｃｈａｎｎｅｌ  Ｑｕａｌｉｔｙ  Ｉｎｄｉｃａｔｏｒ：チャンネル品質インジケータ）およびＡＣＫ／ＮＡＣＫフィードバックを発信元セルに送っている既存のＨＳ−ＤＰＣＣＨチャンネルを使用することができる。
【００２１】
新規のＨＳ−ＤＰＣＣＨスロット・フォーマットをもまた、発信元およびターゲットセルの両方へＡＣＫ／ＮＡＣＫ情報を送るために利用することができる。図４は、この例によるＨＳ−ＤＰＣＣＨフレームのフレーム・フォーマットの一例４００である。図４に示されるように無線フレーム４１０は、サブフレーム＃０（４２００）、サブフレーム＃ｉ（４２０ｉ）、およびサブフレーム＃４（４２０４）などの、１つまたは複数のサブフレーム４２０を含む。各サブフレーム４２０（例えばサブフレーム４２０ｉ）内には、多くのタイムスロット（Ｔｓｌｏｔ）が存在することができる。図４において示された例において、サブフレーム４２０ｉは、ＨＡＲＱ−ＡＣＫｌ（４２１）、ＨＡＲＱ−ＡＣＫ２（４２２）、ＣＱＩｌ（４２３）、およびＣＱＩ２（４２４）に対するタイムスロットを含む。この例においては、タイムスロット４２１は発信元セル／アンカー・セルに対するＨＡＲＱフィードバックのために利用することができ、タイムスロット４２２はターゲットセル／セカンダリサービングセルに対するＨＡＲＱフィードバックのために利用でき、タイムスロット４２３は発信元セル／プライマリサービングセルまたはアンカー・セルへのＣＱＩフィードバックのために利用することができ、そしてタイムスロット４２４は、ターゲットセル／セカンダリサービングセルへのＣＱＩフィードバックのために利用することができる。また、図４において２つのＣＱＩタイムスロットが示されるが、１つのみでも利用することができることにもまた、注意するべきである。
【００２２】
ＵＬフィードバックを提供するための別の例においては、ＷＴＲＵ１１０は、ＵＬフィードバック信号３２０をノードＢ１２０に提供するために定義済みのＵＬ物理制御チャンネルを利用することができる。ＷＴＲＵ１１０は、追加的チャネライゼーション（ｃｈａｎｎｅｌｉｚａｔｉｏｎ）符号または第２のスクランブリング（ｓｃｒａｍｂｌｉｎｇ）符号を使用してＵＬフィードバック信号３２０を送信する。追加チャンネル化符号またはスクランブリング符号のフォーマットは、ＡＣＫ、ＮＡＣＫ、およびＣＱＩの両方をＷＴＲＵ１１０がターゲットノードＢ１２０２に送ることを可能にするためにＨＳ−ＤＰＣＣＨにより既に定義済みのものと同様であることができる。あるいはまた、ＷＴＲＵ１１０がターゲットノードＢ１２０２にＡＣＫ／ＮＡＣＫ情報を供給するのみであるように制御チャンネル・フォーマットを定義することができる。ＷＴＲＵ１１０はまた、既に構成設定されたＨＳ−ＤＰＣＣＨ制御チャンネル上にて、発信元、または第１のサービングセルにＵＬフィードバックを送信し続けることができる。
【００２３】
例えば、ノードＢがＷＴＲＵ１１０のアクティブなセットに付加された場合、またはセカンダリ・セルがマルチ・セル動作のために構成設定された場合に、定義済みのＵＬ制御チャンネルを構成設定することができる。この場合には、制御情報（例えばノードＢ特有のＨＳ−ＤＰＣＣＨ）の転送のためのＵＬチャネライゼーション符号またはスクランブリング符号をＵＬ制御チャンネルに割り付けることができる。それぞれのノードＢ１２０は、異なったチャネライゼーション符号またはスクランブリング符号を監視するように構成設定することができ、そしてＷＴＲＵ１１０は、何れのノードＢ１２０がハンドオーバー手順のターゲットであるかに依存して、異なったチャネライゼーション符号またはスクランブリング符号を使用することができる。
【００２４】
また、一時的なＵＬフィードバック情報を何れのターゲットノードＢに送るようにも一つのチャネライゼーション符号またはスクランブリング符号を構成設定することができるであろう。ＵＬチャネライゼーション符号またはスクランブリング符号は、予め構成設定され、個別ＲＲＣ信号方式（例えば、ＡＣＴＩＶＥ  ＳＥＴ  ＵＰＤＡＴＥメッセージの一部）を通して信号送出され、またはターゲットセルにおけるブロードキャスト情報の一部として信号送出されることができる。
【００２５】
あるいはまたＷＴＲＵ１１０は、ＵＬフィードバック信号３２０をターゲットセルに送信するためにターゲットセルにおける共通Ｅ−ＤＣＨ（Ｅｎｈａｎｃｅｄ  Ｄｅｄｉｃａｔｅｄ  ＣＨａｎｎｅｌ）を使用することができる。一例においては、ターゲットノードＢ１２０がＷＴＲＵ１１０のアクティブなセット中にまだ入っていないところにてこの方法を利用することができる。さらにターゲットセルにおける共通Ｅ−ＤＣＨリソースを、フィードバック情報と共にデータの送信のために使用することができるであろう。
【００２６】
共通Ｅ−ＤＣＨリソースは、３ＧＰＰ規格によって定義されたＣＥＬＬ＿ＦＡＣＨ状態においてＥ−ＤＣＨに対して使用されるものと同じ、もしくは別々の共通リソース、またはリソースの集合であるかもしれず、ＵＬフィードバックを供給する目的のために定義することができるであろう。ＷＴＲＵ１１０は、電力制御ループの適切な同期を確立するために、電力立ち上げ（ｐｏｗｅｒ  ｒａｍｐ−ｕｐ）手順を実行することができる。この立ち上げは、ＣＥＬＬ＿ＦＡＣＨ状態においてＥ−ＤＣＨに対して定義された立ち上げと同様であることができる。
【００２７】
別の代替の例においてはＷＴＲＵ１１０は、ターゲットノードＢ１２０またはセカンダリ・セルにフィードバック情報を送るために第２のＵＬ周波数チャンネルを使用することができる。この例においては、２つのセル（例えば、プライマリサービングセルまたはアンカー・セル、およびセカンダリサービングセル）がアップリンク方向において異なった周波数チャンネルを利用する。ＷＴＲＵ１１０が２つの異なった周波数上にて２つの異なったセルにＵＬフィードバック信号３２０を送信しているであろうため、フィードバック情報を両方のセルに送信するために、ＷＴＲＵ１１０は同じチャネライゼーション符号および／またはスクランブリング符号を使用することができるであろう。周波数チャンネルを使用する制御情報のフォーマットは、既に定義済みのＨＳ−ＤＰＣＣＨと同様であることができ、ＡＣＫ、ＮＡＣＫ、およびＣＱＩの両方をＷＴＲＵ１１０がターゲットセルに送信することを可能にする。
【００２８】
例えば、ノードＢがＷＴＲＵ１１０のアクティブなセットに付加されると、定義済みのＵＬ制御チャンネルを構成設定することができる。この場合には、周波数チャンネルまたは周波数チャンネルの組み合わせおよびスクランブリング符号を制御情報（例えばセル特有のＨＳ−ＤＰＣＣＨ）の転送のためにＵＬ制御チャンネルに割り付けることができる。それぞれのノードＢ１２０は、異なった周波数チャンネルまたは周波数チャンネルの組み合わせおよびスクランブリング符号を監視するように構成設定することができる。
【００２９】
また、単独の周波数チャンネルまたは周波数チャンネルの組み合わせおよびスクランブリング符号は、何れのターゲットノードＢへも一時的ＵＬフィードバック情報を送るように構成設定することができるであろう。周波数チャンネルまたは周波数チャンネルの組み合わせおよびスクランブリング符号は、予め構成設定し、個別ＲＲＣ信号方式（例えばＡＣＴＩＶＥ  ＳＥＴ  ＵＰＤＡＴＥメッセージの一部）を通して信号送出し、またはターゲットセルにおけるブロードキャスト情報の一部として信号送出されることができる。
【００３０】
別の例においては、ＵＬフィードバック情報はＥ−ＤＣＨ上でのＵＬ送信に対して使用されるＭＡＣ（Ｍｅｄｉｕｍ  Ａｃｃｅｓｓ  Ｃｏｎｔｒｏｌ：媒体アクセス制御）ヘッダーの一部としてＭＡＣ処理に含むことができる。３ＧＰＰ規格においてＭＡＣ−ｅ／ｅｓまたはＭＡＣ−ｉ／ｉｓに対して定義されたＭＡＣ処理の一部としてＡＣＫ、ＮＡＣＫ、および／またはＣＱＩ情報を送るように、ＭＡＣ制御ＰＤＵ（Ｐａｃｋｅｔ  Ｄａｔａ  Ｕｎｉｔ：パケット・データ・ユニット）を定義することができる。あるいはまた、ＷＴＲＵ１１０はＵＬ  Ｅ−ＤＣＨトランスポート・ブロックのＭＡＣヘッダー中にＡＣＫ、ＮＡＣＫ、および／またはＣＱＩ情報を含むことができるであろう。
【００３１】
ＷＴＲＵ１１０はまた、両方のセルについてのチャンネル品質に依存する一つのＣＱＩ値、および／または両方のセルから送信されたＰＤＵの受信の状態に依存する一つのＡＣＫ／ＮＡＣＫ値を送信することができるであろう。セル同士または無線リンク同士は、同じ無線リンク集合に属し、または同じＴＰＣ（Ｔｒａｎｓｐｏｒｔ  Ｐｏｗｅｒ  Ｃｏｍｍａｎｄ：トランスポート電力コマンド）の組み合わせインデックスを共有することができ、そしてセル同士は同じ周波数チャンネル上にて動作している場合またはしていない場合がある。
【００３２】
ＣＱＩが、ＷＴＲＵ１１０が両方のセルから測定する個々のＣＱＩ値の関数である場合には、一つのＣＱＩ値を報告することができるであろう。例えば、報告されるＣＱＩ値は、２つのＣＱＩ値の最大または２つのＣＱＩ値の最小であるかもしれない。２つのセルが言及されているが、何れの数のセルをも測定することができそして何れの数のＣＱＩ値をも報告される一つのＣＱＩ値に含むことができることに注意するべきである。
【００３３】
この様にして、ＷＴＲＵ１１０に送信するために一つのＣＱＩ値からネットワークがセルを決定することができる。さらに、両方のセルを同時に使用するため、ＭＣＳ（Ｍｏｄｕｌａｔｉｏｎ  ａｎｄ  Ｃｏｄｉｎｇ  Ｓｃｈｅｍｅ：変調および符号化方式）を選択するために、ネットワークは一つのＣＱＩ値を利用することができる。ＷＴＲＵ１１０はまた、ＣＱＩ表示にフラグを加えることによって何れのセルが最大のまたは最小のＣＱＩを有するものであるかを表すことができるであろうし、または特定のチャネライゼーション符号またはスクランブリング符号を選択することによって最大または最小のＣＱＩを有するセルを表すことができるであろう。
【００３４】
さらに、一つのＡＣＫまたはＮＡＣＫ値が送信される場合に、ＷＴＲＵ１１０は通常は、１つまたは両方のセルからＰＤＵの受信に成功したならＡＣＫを、そして何れのセルからもＰＤＵの受信に成功しなかったならＮＡＣＫを、信号送出する。この場合には、ネットワークは一つのＡＣＫ／ＮＡＣＫの送信を利用し、同時にまたはほぼ同時に両方のセル上で同じＰＤＵを送信し、可能性として少なくとも１つのＰＤＵの受信に成功する機会を増大させることができるであろう。さらにＣＱＩ表示にフラグを加えることにより、またはチャネライゼーション符号またはスクランブリング符号の選択を介してそれを表すことによって、ＷＴＲＵ１１０は、何れのセルからデータの受信に成功したかを表すことができるであろう。
【００３５】
発信元セルからターゲットセルへのハンドオーバー動作にかかわる上で説明された何れの場合においても、発信元ノードＢ１２０は、ハンドオーバー中であるＷＴＲＵ１１０へのさらなるダウンリンク・トラフィックを送信することを制限される場合があることに注意するべきである。この制限は、ＲＮＣ（Ｒａｄｉｏ  Ｎｅｔｗｏｒｋ  Ｃｏｎｔｒｏｌｌｅｒ：無線ネットワーク制御装置）からのＩｕｂメッセージを介してノードＢ１２０に信号送出することができるであろう。
【００３６】
特徴および要素が上で特定の組み合わせにて記述されているが、それぞれの特徴または要素は、他の特徴および要素なしで単独にて、または他の特徴および要素のあるなしに拘わらず様々な組み合わせにて使用可能である。ここに提供される方法またはフロー図は、汎用目的のコンピューターまたは処理装置による実行のための、コンピューターにて読み取り可能な記憶装置媒体に組み込まれたコンピューター・プログラム、ソフトウェア、またはファームウェアにて実施することができる。コンピューターにて読み取り可能な記憶装置媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００３７】
適当な処理装置の例としては、汎用目的処理装置、専用目的処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【００３８】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー機器）、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶表示）表示ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、ならびに／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールまたはＵＷＢ（Ｕｌｔｒａ  Ｗｉｄｅ  Ｂａｎｄ：超広帯域）モジュールなどのモジュールと連動して使用することができる。
【００３９】
実施形態：
１．
フィードバック信号方式の方法。
【００４０】
２．
第１のセルに第１のアップリンク・フィードバック信号を送信するステップをさらに具備する、実施形態１の方法。
【００４１】
３．
第２のセルに第２のアップリンク・フィードバック信号を送信するステップをさらに具備する、前の実施形態の何れかにおける方法。
【００４２】
４．
前記第１および第２のアップリンク・フィードバック信号の前記送信するステップが、ＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  ＣＨａｎｎｅｌ：高速個別物理制御チャンネル）を構成設定するステップを含む、前の実施形態の何れかにおける方法。
【００４３】
５．
第１のセルに対するＣＱＩ（Ｃｈａｎｎｅｌ  Ｑｕａｌｉｔｙ  Ｉｎｄｉｃａｔｏｒ：チャンネル品質インジケータ）を表すために第１のＣＱＩフィールドを含むようにＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  ＣＨａｎｎｅｌ：高速個別物理制御チャンネル）を構成設定するステップをさらに具備する、前の実施形態の何れかにおける方法。
【００４４】
６．
第２のセルに対するＣＱＩを表すために第２のＣＱＩフィールドを含むようにＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  ＣＨａｎｎｅｌ：高速個別物理制御チャンネル）を構成設定するステップをさらに具備する、前の実施形態の何れかにおける方法。
【００４５】
７．
第１のセルがプライマリサービングセルでありそして第２のセルがセカンダリサービングセルである、前の実施形態の何れかにおける方法。
【００４６】
８．
第２のセルへアップリンク・フィードバック信号を前記送信するステップが、第１のセルへアップリンク情報を前記送信するステップと同時である、前の実施形態の何れかにおける方法。
【００４７】
９．
第１のアップリンク・フィードバック信号が第１のセルのための第１の周波数上にて送信され、そして第２のアップリンク・フィードバック信号が第２のセルのための第２の周波数上にて送信される、前の実施形態の何れかにおける方法。
【００４８】
１０．
第１の周波数がプライマリサービングセルに関連付けられ、そして第２の周波数がセカンダリサービングセルに関連付けられる、前の実施形態の何れかにおける方法。
【００４９】
１１．
第１および第２の周波数上にてチャネライゼーション符号およびスクランブリング符号を送信するステップをさらに具備する、前の実施形態の何れかにおける方法。
【００５０】
１２．
チャネライゼーション符号およびスクランブリング符号が第１および第２の周波数に対して同一である、前の実施形態の何れかにおける方法。
【００５１】
１３．
第１および第２のアップリンク・フィードバック信号が、第１のセルに関連付けられた第１のチャネライゼーション符号および第２のセルに関連付けられた第２のチャネライゼーション符号を含む、前の実施形態の何れかにおける方法。
【００５２】
１４．
第１のセルがプライマリサービングセルでありそして第２のセルがセカンダリサービングセルである、前の実施形態の何れかにおける方法。
【００５３】
１５．
ハンドオーバーのための方法。
【００５４】
１６．
発信元セル・ランキングよりターゲットセル・ランキングが大きい前記発信元セルから受信するステップをさらに具備する、実施形態１５の方法。
【００５５】
１７．
アップリンク・フィードバックを送信するための条件をトリガーするステップをさらに具備する、実施形態１５〜１６の何れかにおける方法。
【００５６】
１８．
アップリンク・フィードバック信号を送信するステップをさらに具備する、実施形態１５〜１７の何れかにおける方法。
【００５７】
１９．
アップリンク・フィードバックを送るためのトリガー条件が：ＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ：高速共有制御チャンネル）上での個別ＨＳ−ＤＳＣＨ（Ｈｉｇｈ  Ｓｐｅｅｄ  Ｄｏｗｎｌｉｎｋ  Ｓｈａｒｅｄ  ＣＨａｎｎｅｌ：高速ダウンリンク共有チャンネル）のＨ−ＲＮＴＩ（ＨＳ−ＤＳＣＨ  Ｒａｄｉｏ  Ｎｅｔｗｏｒｋ  Ｔｅｍｐｏｒａｒｙ  Ｉｄｅｎｔｉｆｉｅｒ：ＨＳ−ＤＳＣＨ無線ネットワーク一時識別子）の復号化の成功、ハンドオーバーのための共通Ｈ−ＲＮＴＩの復号化の成功、個別または共通Ｈ−ＲＮＴＩを使用するＨＳ−ＤＳＣＨトランスポート・ブロックのＣＲＣ（Ｃｙｃｌｉｃ  Ｒｅｄｕｎｄａｎｃｙ  Ｃｈｅｃｋ：巡回冗長検査）の復号化の成功、および／または受信されたトランスポート・ブロックのＭＡＣ（Ｍｅｄｉｕｍ  Ａｃｃｅｓｓ  Ｃｏｎｔｒｏｌ：媒体アクセス制御）ヘッダーにおけるＲＮＴＩの判定、のイベントの内の何れか１つを含む、実施形態１５〜１８の何れかにおける方法。
【００５８】
２０．
前の実施形態の何れかにおける方法を実行するように構成設定されたＷＴＲＵ（Ｗｉｒｅｌｅｓｓ  Ｔｒａｎｓｍｉｔ／Ｒｅｃｅｉｖｅ  Ｕｎｉｔ：無線送受信ユニット）。
【００５９】
２１．
受信機をさらに具備する、実施形態２０のＷＴＲＵ。
【００６０】
２２．
送信機をさらに具備する、実施形態２０〜２１の何れかにおけるＷＴＲＵ。
【００６１】
２３．
処理装置をさらに具備する、実施形態２０〜２２の何れかにおけるＷＴＲＵ。
【００６２】
２４．
処理装置が、第１のセルに第１のアップリンク・フィードバック信号を送信し、そして第２のセルに第２のアップリンク・フィードバック信号を送信するように構成設定された、実施形態２０〜２３の何れかにおけるＷＴＲＵ。
【００６３】
２５．
処理装置が、第１のセルに対するＣＱＩ（Ｃｈａｎｎｅｌ  Ｑｕａｌｉｔｙ  Ｉｎｄｉｃａｔｏｒ：チャンネル品質インジケータ）を表すための第１のＣＱＩフィールドおよび第２のセルに対するＣＱＩを表すための第２のＣＱＩフィールドを含むようＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  ＣＨａｎｎｅｌ：高速個別物理制御チャンネル）を構成するようにさらに構成設定された、実施形態２０〜２４の何れかにおけるＷＴＲＵ。
【００６４】
２６．
第１のセルがプライマリサービングセルであり、そして第２のセルがセカンダリサービングセルである、実施形態２０〜２５の何れかにおけるＷＴＲＵ。
【００６５】
２７．
処理装置が、第２のセルへのアップリンク・フィードバック信号を第１のセルにアップリンク情報を送信するステップと同時に送信するようにさらに構成設定された、実施形態２０〜２６の何れかにおけるＷＴＲＵ。
【００６６】
２８．
処理装置が、第１のセルのための第１の周波数上にて第１のアップリンク・フィードバック信号を、および第２のセルのための第２の周波数上にて第２のアップリンク・フィードバック信号を送信するようにさらに構成設定された、実施形態２０〜２７の何れかにおけるＷＴＲＵ。
【００６７】
２９．
処理装置が、チャネライゼーション符号およびスクランブリング符号を第１および第２の周波数上にて送信するようにさらに構成設定された、実施形態２０〜２８の何れかにおけるＷＴＲＵ。
【００６８】
３０．
チャネライゼーション符号およびスクランブリング符号が、第１および第２の周波数に対して同一である、実施形態２０〜２９の何れかにおけるＷＴＲＵ。
【００６９】
３１．
第１および第２のアップリンク・フィードバック信号が、第１のセルに関連付けられた第１のチャネライゼーション符号および第２のセルに関連付けられた第２のチャネライゼーション符号を含む、実施形態２０〜３０の何れかにおけるＷＴＲＵ。
【図１】
2014207696.tif 000003
【図２】
2014207696.tif 000004
【図３】
2014207696.tif 000005
【図４】
2014207696.tif 000006